(57)【要約】      （修正有）【課題】文字、記号、絵によるコミュニケーションにおける、送信対象誤りを防止する。【解決手段】入力端末１０に入力者が入力中、表示装置１１の入力結果を確認するための表示場所ＶＴから上下２ｃｍ以内に、コミュニケーションの対象の名称もしくは複数対象をグループ化した名称を表示し、入力行為に合わせてゆるやかに点滅させ、あるいは対象の名称に応じた色で表示する。【選択図】図１
2019091384.tif 000002
【特許請求の範囲】
【請求項１】
人が人ないし文字、記号、絵を通じた司令会話が可能な対象と一対一もしくは複数対象とのコミュニケーションを実施するための入力端末において、入力者の入力中、入力結果を確認するための表示場所から上下２ｃｍ以内に、コミュニケーションの対象の名称もしくは複数対象をグループ化した名称を、表示する機能を有することを特徴とする表示装置。
【請求項２】
請求項１に記載した表示機能を備え、且つ、入力者の入力行為に合わせて表示がゆるやかに点滅する表示機能を備えることを特徴とする表示装置。
【請求項３】
請求項１に記載した表示機能を備え、且つ、コミュニケーションの対象の名称もしくは複数対象をグループ化した名称と紐づいた色を、表示した名称の文字色もしくは文字背景色とする機能を備えることを特徴とする表示装置。
【発明の詳細な説明】
【技術分野】
【０００１】本技術は、人が人ないし文字、記号、絵を通じた司令会話が可能な対象と一対一もしくは複数対象とのコミュニケーションを実施するための入力端末における安全装置に関する。
【背景技術】
【０００２】インターネットが始まった当初、Ｅメールが人と人との主たるコミュニケーション手段であった。Ｉｎｔｅｒｎｅｔ  ＥｘｐｌｏｒｅｒやＮｅｔｓｃａｐｅなどＷｅｂブラウザが登場すると、インターネット上に趣味趣向を凝らしたホームページが多数作られた。この中には「チャット」と呼ばれるコミュニケーションツールを有するものもあり、同じタイミングで訪れた複数の訪問者が用意されたチャット上で趣味を通じて会話を楽しむことができた。【０００３】２１世紀に入りスマートフォンが登場すると、今度はホームページに行かずともチャットと同様のコミュニケーションが可能な専用アプリケーションが提供され、大きく広まった。これはホームページ上のチャットになかった「プッシュ通知機能」が搭載されたことで、よりリアルタイムなコミュニケーションが可能となったことが大きな要因である。また対象をグループ化し、一斉送信できる機能や受信者の受信状況を通知する機能など様々な機能が登場し、昨今のコミュニケーション手段に影響を与えている。【０００４】また、インターネット通信品質の向上により、１つの命令で多くのデバイスをタイムラグなく一斉操作できる時代となったこともこれらのアプリケーションを隆盛させている要因である。対象は人に限られない。ＩｏＴデバイスの登場により、照明やエアコン、お風呂、冷蔵庫など様々なものが、入力端末からの入力を受け付け、遠隔操作や一括操作が可能になりつつある。
【発明の概要】
【発明が解決しようとする課題】
【０００５】インターネットを利用したコミュニケーションにおいて特徴的な危惧が、コミュニケーション相手の誤りである。人対人の場合、人に直接会ったり、ホームページに設置されたチャットに対して文字を送信する場合、その対象を誤ることはない。しかし、メールの送信相手を間違ったり、チャットアプリケーションで本来送るべきグループとは異なるグループに投稿したりといった「うっかりミス」の発生は少なくなく、これらのミスは、情報漏洩などの大きな問題に発展することもある。【０００６】同様の課題が人命に関わるような装置の操作においても潜在すると考えられる。人が送信対象を切り替えながら入力操作を行う入力端末では、情報の送信対象を誤るリスクがつきまとう。情報の送信時に「本当に送信しますか」といった確認メッセージを出すことはしばしばあるものの、操作性を損ねるだけでなく慣れてしまうと抑制力が働かない。したがって既存の解決策での予防効果は時間経過と共に薄れてしまう。
【課題を解決するための手段】
【０００７】本発明は上記課題を解決すべくなされたもので、請求項１に記載の発明は、人が人ないし文字、記号、絵を通じた司令会話が可能な対象と一対一もしくは複数対象とのコミュニケーションを実施するための入力端末において、入力者の入力中、入力結果を確認するための表示場所から上下２ｃｍ以内に、コミュニケーションの対象の名称もしくは複数対象をグループ化した名称を、表示する機能を有することを特徴とする表示装置である。【０００８】請求項２に記載の発明は、請求項１に記載した表示機能を備え、且つ、入力者の入力行為に合わせて表示がゆるやかに点滅する表示機能を備えることを特徴とする表示装置である。【０００９】請求項３に記載の発明は、請求項１に記載した表示機能を備え、且つ、コミュニケーションの対象の名称もしくは複数対象をグループ化した名称と紐づいた色を、表示した名称の文字色もしくは文字背景色とする機能を備えることを特徴とする表示装置である。【００１０】以下、図面を参照し、この発明の本発明の一実施の形態（以下「本実施形態」と呼ぶ）について説明する。
【図面の簡単な説明】
【００１１】
【図１】本実施形態を示す概略図である。
【図２】本実施形態において、発明装置の動作過程で起こる、入力者の操作フローと各操作に対する表示装置で行われる処理の図である。
【図３】本実施形態において、請求項２についての処理に係るフロー図である。
【発明を実施するための形態】
【００１２】図１は本実施形態に係る入力端末で、グループチャットが可能なアプリケーションに、本発明に係る表示装置を備えている。図１に基づき、本実施形態においての必要条件を述べる。
【００１３】入力端末１０は表示装置１１と入力装置１２とが繋がっており、表示装置１１には、チャットグループのリストＬＡが表示されている。
【００１４】ここで、チャットグループへの投稿もしくはチャットグループ内の投稿の閲覧することを希望する人物を「入力者」と呼ぶこととする。
【００１５】リストＬＡから入力者が投稿したいチャットグループを選択すると、当該チャットに投稿することのできる複数人からの投稿が、過去の投稿も含め、投稿表示エリアＶＡに表示される。入力結果を確認するための表示場所ＶＴに入力者がフォーカスを当てたのち、入力装置１２で入力を行うと、ＶＴに文字や記号が表示され、入力装置１２からショートカットキーの入力やマウスでのクリックといった所定の送信操作を行うと、表示装置の投稿表示エリアＶＡに入力内容が表示され、同時に同じ内容を、この表示エリアの投稿を閲覧することのできるチャットルームのメンバーであれば誰でも任意のタイミングで確認することができるようになる。
【００１６】図２は本実施形態において、請求項２についての処理に係るフロー図である。
【００１７】入力者はまずはじめにチャットグループのリストＬＡを表示する。このとき、後ほど文字の背景色に利用するカラーリストを配列長６の長さで用意しておく。本実施形態において用意したのは
2019091384.tif 000003
【００１８】自らが投稿したいチャットグループを選択する（ＯＰ１）。この時選択されたチャットグループ名を記録しておく（ＰＲＯＣ１）。また、記録したチャットグループ名の文字コードを利用して、チャットグループ名によって一意に定まる０から５の数字を求める（ＰＲＯＣ２）。次に入力者が投稿をするため、入力内容の確認エリアＶＴにフォーカスを当てる動作をする（ＯＰ２）。そのタイミングでＶＴから上下２ｃｍ以内に存在する確認近傍領域（上）Ｖ０もしくは確認近傍領域（下）Ｖ１に記録したグループ名を表示する。このとき文字色は白、文字の背景色は前記用意した６色の、前記チャットグループ名から求めたチャットグループ名によって一意に定まる０から５の数値のインデックス番目の色とし表示する（ＰＲＯＣ４）。文字色と背景色の明度に差を設けたり、文字サイズを調節したりして、入力者が表示内容自体を読みやすい文字サイズや色合いにすることも、この発明の効能を高める上で重要なことである。
【００１９】そして入力者は投稿もしくは閲覧が終わるとがＶＴからフォーカスを外す（ＯＰ３）。このとき、表示したグループ名を非表示にする（ＰＲＯＣ５）。
【００２０】図３は本実施形態において請求項２における表示を実現する処理のフロー図である。入力者が入力内容の確認エリアＶＴにて文字を入力する（ＯＰ４）。このとき、６００ｍｓの待ち時間ののち、文字列を１２００ｍｓかけてフェードさせ、透過度を０にして、文字を非表示にする（ＰＲＯＣ６）。文字が複数回入力されることでこの一連の処理が何度も発生して、ゆるやかな点滅を表現することにより、入力者の送信対象に対する意識づけを、より高い確率で行うことができる。
【００２１】以上が本実施形態における、詳細な動作の記述である。
【発明の効果】
【００２２】本発明の機能を表示装置に備えれば、送信対象をうっかり誤ることで生じる様々な問題や損失の発生を、未然に防止することができる。
【００２３】［他の実施形態］
なお、上記実施形態はグループチャットが可能なアプリケーションを例に記載したが、例えば小型プロジェクタを利用して同様の場所に文字を投影することにより、入力結果を表示する表示装置に直接機能を埋め込むことができなくとも発明の効果を発現させることができる。すなわち、本発明はいわゆるＳＮＳ型のチャットアプリケーションへの実装方法に限定されるものではなく、工場におけるロボット操作のための入力装置誤操作防止やオフィスワークの入力ミス防止などにも活用できる。
【符号の説明】
【００２４】１０  入力端末
１１  表示装置
１２  入力装置
ＶＡ  投稿表示エリア
ＶＴ  入力結果を確認するための表示場所
ＬＡ  グループ一覧エリア
Ｖ０  確認近傍領域（上）
Ｖ１  確認近傍領域（下）
【図１】
2019091384.tif 000004
【図２】
2019091384.tif 000005
【図３】
2019091384.tif 000006